(57)【要約】      （修正有）【課題】ネットワーク情報セキュリティサービス設備を提供する。【解決手段】情報箱にポートが右に向かって多くの引き出しを取り付ける取付溝が設置され、取付溝の前後端壁に対称に雌レールが取り付けられ、引き出しの前後端面に雌レールと係合するサブレールが固定的に取り付けられ、引き出しの右端面の下に取っ手が固定的に取り付けられ、引き出しにポートが上に向かう容筐体が設置され、容筐体の左端壁にポートが上に向かう第一滑走溝が設置され、第一滑走溝に上下に滑走する滑走板が取り付けられ、滑走板にポートが上に向かう第二滑走溝が設置され、第二滑走溝に上下に滑走する調整板が取り付けられ、滑走板に左右に連結し第二滑走溝の下に位置する調整溝が設置され、調整溝の後端壁にラックが設置され、第一滑走溝と容筐体の間にスルーホールが設置される。【選択図】図４
2019183599.tif 000002
【特許請求の範囲】
【請求項１】
ネットワーク情報セキュリティサービス設備であって、台座に固定的に取り付ける情報箱と引き出しを含み、前記台座の底部端面に重量溝が設置され、前記重量溝に重量ブロックが固定的に設置され、前記情報箱にポートが右に向かって多くの引き出しを取り付ける取付溝が設置され、前記取付溝の前後端壁に対称に雌レールが取り付けられ、前記引き出しの前後端面に前記雌レールと係合するサブレールが固定的に取り付けられ、前記引き出しの右端面の下に取っ手が固定的に取り付けられ、前記引き出しにポートが上に向かう容筐体が設置され、前記容筐体の左端壁にポートが上に向かう第一滑走溝が設置され、前記第一滑走溝に上下に滑走する滑走板が取り付けられ、前記滑走板にポートが上に向かう第二滑走溝が設置され、前記第二滑走溝に上下に滑走する調整板が取り付けられ、前記滑走板に左右に連結し前記第二滑走溝の下に位置する調整溝が設置され、前記調整溝の後端壁にラックが設置され、前記第一滑走溝と前記容筐体の間にスルーホールが設置され、前記スルーホールにベアリングを通じて第一回転軸が回転が可能なような取り付けられ、前記第一回転軸に内六角溝が設置され、前記スルーホールの内壁に回転溝が設置され、前記回転溝に前記第一回転軸と固定的に接続する第一ギアが設置され、前記調整溝に左右に延びる第二回転軸が設置され、前記第二回転軸の右端が前記第一回転軸と固定的に接続し、左端が前記第一滑走溝の左端壁に回転が可能なような取り付けられ、前記第二回転軸に前記ラックと係合し接続する第二ギアが固定的に取り付けられ、前記回転溝の上端にロック装置が設置され、前記容筐体の底壁に防護装置が設置され、前記防護装置が前記容筐体の底壁に設置され前後に連結する収縮筐体を含み、前記収縮筐体に前後に対称的に前後に滑走する収縮板が取り付けられ、前記収縮板が相対的に離れる端面にバスマットが固定的に取り付けられ、前記収縮筐体の右端壁に外部と連結する連結溝が設置され、前記収縮筐体が前記連結溝に近づく所に第三回転軸を通じてリール輪が回転が可能なような取り付けられ、前記収縮板の内側端にロープが固定的に取り付けられ、前記ロープが前記リール輪を迂回し前記取っ手に設置される調整輪と固定的に接続し、前記調整板の下端面に弾柱が固定的に取り付けられ、前記弾柱の下端が前記第二滑走溝の下端壁と固定的に接続し、前記調整板の上端面にローラーが回転が可能なような取り付けられ、前記ロック装置は前記回転溝の頂壁に設置される第三滑走溝を含み、前記第三滑走溝の右端壁の上に前記容筐体と連結する第四滑走溝が設置され、前記第三滑走溝に上下に滑走するロックアームが取り付けられ、前記ロックアームの下端に前記第一ギアと係合し接続するロックギアが設置され、前記第四滑走溝に前記ロックアームと固定的に接続する滑走ブロックが滑走可能なような取り付けられ、前記第三滑走溝の左端壁に第一案内溝が設置され、前記第一案内溝に前記ロックアームと固定的に接続する第一案内ブロックが滑走可能なような取り付けられ、前記第一案内ブロックの上端に前記第三滑走溝の頂壁と固定的に接続する第一圧縮ばねが固定的に取り付けられ、前記収縮筐体の左右端壁に対称的に第二案内溝が設置され、前記第二案内溝に前記収縮板と固定的に接続する第二案内ブロックが滑走可能なような取り付けられ、前記第二案内溝に第二案内ブロックと相殺する第二圧縮ばねが取り付けられ、前記容筐体の底壁に前後に対称的に前記連結溝の前後両側に位置する第三案内溝が設置され、前記第三案内溝に第三案内ブロックが滑走可能なような取り付けられ、前記第三案内ブロックの右端面に右に延びる接続レバーが固定的に取り付けられ、前記接続レバーの右端が前記第三案内溝の右端壁を通り抜けて前記調整輪と固定的に接続することを特徴とするネットワーク情報セキュリティサービス設備。
【発明の詳細な説明】
【技術分野】
【０００１】
本発明はネットワーク情報技術分野に関し、具体的にはネットワーク情報セキュリティサービス設備に関する。
【背景技術】
【０００２】
情報化時代の高速発展につれて、いくつかのネットワーク情報セキュリティ箱が情報化領域に広く使われ、それが主に情報化部品を取り付けて、伝統的なネットワーク情報セキュリティ箱に多くの引き出しがあり、上下に隣接する二つの引き出しの間に大きい隙間が存在し、情報化部品を取り付けることに影響があり、同時に多くの引き出しを出した後は非固定であり、点検と保守に不便である。
【先行技術文献】
【特許文献】
【０００３】
【特許文献１】中国特許出願公開第101714990号明細書
【発明の概要】
【発明が解決しようとする課題】
【０００４】
上記の技術の不足に対し、本発明はネットワーク情報セキュリティサービス設備を提供する。
【課題を解決するための手段】
【０００５】
本発明のネットワーク情報セキュリティサービス設備は台座に固定的に取り付ける情報箱と引き出しを含み、前記台座の底部端面に重量溝が設置され、前記重量溝に重量ブロックが固定的に設置され、前記情報箱にポートが右に向かって多くの引き出しを取り付ける取付溝が設置され、前記取付溝の前後端壁に対称に雌レールが取り付けられ、前記引き出しの前後端面に前記雌レールと係合するサブレールが固定的に取り付けられ、前記引き出しの右端面の下に取っ手が固定的に取り付けられ、前記引き出しにポートが上に向かう容筐体が設置され、前記容筐体の左端壁にポートが上に向かう第一滑走溝が設置され、前記第一滑走溝に上下に滑走する滑走板が取り付けられ、前記滑走板にポートが上に向かう第二滑走溝が設置され、前記第二滑走溝に上下に滑走する調整板が取り付けられ、前記滑走板に左右に連結し前記第二滑走溝の下に位置する調整溝が設置され、前記調整溝の後端壁にラックが設置され、前記第一滑走溝と前記容筐体の間にスルーホールが設置され、前記スルーホールにベアリングを通じて第一回転軸が回転が可能なような取り付けられ、前記第一回転軸に内六角溝が設置され、前記スルーホールの内壁に回転溝が設置され、前記回転溝に前記第一回転軸と固定的に接続する第一ギアが設置され、前記調整溝に左右に延びる第二回転軸が設置され、前記第二回転軸の右端が前記第一回転軸と固定的に接続し、左端が前記第一滑走溝の左端壁に回転が可能なような取り付けられ、前記第二回転軸に前記ラックと係合し接続する第二ギアが固定的に取り付けられ、前記回転溝の上端にロック装置が設置され、前記容筐体の底壁に防護装置が設置され、前記防護装置が前記容筐体の底壁に設置され前後に連結する収縮筐体を含み、前記収縮筐体に前後に対称的に前後に滑走する収縮板が取り付けられ、前記収縮板が相対的に離れる端面にバスマットが固定的に取り付けられ、前記収縮筐体の右端壁に外部と連結する連結溝が設置され、前記収縮筐体が前記連結溝に近づく所に第三回転軸を通じてリール輪が回転が可能なような取り付けられ、前記収縮板の内側端にロープが固定的に取り付けられ、前記ロープが前記リール輪を迂回し前記取っ手に設置される調整輪と固定的に接続する。
【０００６】
他の技術方案として前記調整板の下端面に弾柱が固定的に取り付けられ、前記弾柱の下端が前記第二滑走溝の下端壁と固定的に接続し、前記調整板の上端面にローラーが回転が可能なような取り付けられる。
【０００７】
他の技術方案として前記ロック装置は前記回転溝の頂壁に設置される第三滑走溝を含み、前記第三滑走溝の右端壁の上に前記容筐体と連結する第四滑走溝が設置され、前記第三滑走溝に上下に滑走するロックアームが取り付けられ、前記ロックアームの下端に前記第一ギアと係合し接続するロックギアが設置され、前記第四滑走溝に前記ロックアームと固定的に接続する滑走ブロックが滑走可能なような取り付けられ、前記第三滑走溝の左端壁に第一案内溝が設置され、前記第一案内溝に前記ロックアームと固定的に接続する第一案内ブロックが滑走可能なような取り付けられ、前記第一案内ブロックの上端に前記第三滑走溝の頂壁と固定的に接続する第一圧縮ばねが固定的に取り付けられる。
【０００８】
他の技術方案として前記収縮筐体の左右端壁に対称的に第二案内溝が設置され、前記第二案内溝に前記収縮板と固定的に接続する第二案内ブロックが滑走可能なような取り付けられ、前記第二案内溝に第二案内ブロックと相殺する第二圧縮ばねが取り付けられる。
【０００９】
他の技術方案として前記容筐体の底壁に前後に対称的に前記連結溝の前後両側に位置する第三案内溝が設置され、前記第三案内溝に第三案内ブロックが滑走可能なような取り付けられ、前記第三案内ブロックの右端面に右に延びる接続レバーが固定的に取り付けられ、前記接続レバーの右端が前記第三案内溝の右端壁を通り抜けて前記調整輪と固定的に接続する。
【００１０】
本発明の有益な効果は、本発明に係る装置を取り付ける時に、前記調整輪を右に引いて、前記調整輪が前記ロープを通じて前記収縮板を前記収縮筐体に引き戻して、前記引き出しを前記取付溝に置いて、前記サブレールと前記雌レールを係合し、取付が便利である。
【００１１】
上下に隣接する二つの引き出しの間に大きい隙間がある時に、前記滑走ブロックを上に持ち上げて前記ロックギアが前記第一ギアから離れて、外六角レンチを使って前記内六角溝に挿入し前記第一回転軸を回転し、前記第一回転軸が前記第二回転軸と連動して回転し、前記第二回転軸が前記第二ギアと連動して回転し、前記第二ギアが前記ラックを駆動し上に移動し、前記滑走板が上に滑り前記ローラーが上の引き出しの底面と相殺し、上下に隣接する二つの引き出しの間の隙間を減らし、前記滑走ブロックを緩めた後に、前記第一圧縮ばねの作用のもとで、前記ロックギアが再び前記第一ギアと噛み合い、前記調整板の延出長さを固定する。
【００１２】
引き出しを出す時に、前記調整輪を右に引いて、前記調整輪が前記ロープを通じて前記収縮板を前記収縮筐体に引き戻して、前記バスマットが前記取付溝の内壁との接触を離れて、引き出しが適当な位置に出される時に、前記調整輪を緩めて、前記第二圧縮ばねの作用のもとで、前記バスマットが前記取付溝の内壁と相殺し、これにより引き出しの位置を固定する。点検と保守することが便利である。
【００１３】
本発明に係る装置の構造が簡単で、使用が便利で、安全性と点検保守の効率を高める。
【発明の効果】
【００１４】
本発明の有益な効果は、本発明に係る装置を取り付ける時に、前記調整輪を右に引いて、前記調整輪が前記ロープを通じて前記収縮板を前記収縮筐体に引き戻して、前記引き出しを前記取付溝に置いて、前記サブレールと前記雌レールを係合し、取付が便利である。
【００１５】
上下に隣接する二つの引き出しの間に大きい隙間がある時に、前記滑走ブロックを上に持ち上げて前記ロックギアが前記第一ギアから離れて、外六角レンチを使って前記内六角溝に挿入し前記第一回転軸を回転し、前記第一回転軸が前記第二回転軸と連動して回転し、前記第二回転軸が前記第二ギアと連動して回転し、前記第二ギアが前記ラックを駆動し上に移動し、前記滑走板が上に滑り前記ローラーが上の引き出しの底面と相殺し、上下に隣接する二つの引き出しの間の隙間を減らし、前記滑走ブロックを緩めた後に、前記第一圧縮ばねの作用のもとで、前記ロックギアが再び前記第一ギアと噛み合い、前記調整板の延出長さを固定する。
【００１６】
引き出しを出す時に、前記調整輪を右に引いて、前記調整輪が前記ロープを通じて前記収縮板を前記収縮筐体に引き戻して、前記バスマットが前記取付溝の内壁との接触を離れて、引き出しが適当な位置に出される時に、前記調整輪を緩めて、前記第二圧縮ばねの作用のもとで、前記バスマットが前記取付溝の内壁と相殺し、これにより引き出しの位置を固定する。点検と保守することが便利である。
【００１７】
本発明に係る装置の構造が簡単で、使用が便利で、安全性と点検保守の効率を高める。
【図面の簡単な説明】
【００１８】
本発明の実施例また既存の技術の中の技術方案をもっとはっきりと説明するため、下記では実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１９】
【図１】図１は本発明のネットワーク情報セキュリティサービス設備の構造概略図である。
【図２】図２は図１の矢印の方向の構造概略図である。
【図３】図３は図１の調整板の拡大構造概略図である。
【図４】図４は本発明の台座の底面図である。
【発明を実施するための形態】
【００２０】
本明細書に開示した全ての特徴、或いは開示した全ての方法、過程中のステップは、互いに排斥する特徴或いはステップ以外に、いかなる方式で組み合わせることができる。
【００２１】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２２】
図1〜4が示すように、本発明のネットワーク情報セキュリティサービス設備は台座101に固定的に取り付ける情報箱10と引き出し16を含み、前記台座101の底部端面に重量溝102が設置され、前記重量溝102に重量ブロック103が固定的に設置され、前記情報箱10にポートが右に向かって多くの引き出し16を取り付ける取付溝11が設置され、前記取付溝11の前後端壁に対称に雌レール12が取り付けられ、前記引き出し16の前後端面に前記雌レール12と係合するサブレール18が固定的に取り付けられ、前記引き出し16の右端面の下に取っ手15が固定的に取り付けられ、前記引き出し16にポートが上に向かう容筐体17が設置され、前記容筐体17の左端壁にポートが上に向かう第一滑走溝21が設置され、前記第一滑走溝21に上下に滑走する滑走板28が取り付けられ、前記滑走板28にポートが上に向かう第二滑走溝23が設置され、前記第二滑走溝23に上下に滑走する調整板20が取り付けられ、前記滑走板28に左右に連結し前記第二滑走溝23の下に位置する調整溝が設置され、前記調整溝の後端壁にラック27が設置され、前記第一滑走溝21と前記容筐体17の間にスルーホールが設置され、前記スルーホールにベアリングを通じて第一回転軸35が回転が可能なような取り付けられ、前記第一回転軸35に内六角溝36が設置され、前記スルーホールの内壁に回転溝33が設置され、前記回転溝33に前記第一回転軸35と固定的に接続する第一ギア34が設置され、前記調整溝に左右に延びる第二回転軸26が設置され、前記第二回転軸26の右端が前記第一回転軸35と固定的に接続し、左端が前記第一滑走溝21の左端壁に回転が可能なような取り付けられ、前記第二回転軸26に前記ラック27と係合し接続する第二ギア25が固定的に取り付けられ、前記回転溝33の上端にロック装置が設置され、前記容筐体17の底壁に防護装置が設置され、前記防護装置が前記容筐体17の底壁に設置され前後に連結する収縮筐体30を含み、前記収縮筐体30に前後に対称的に前後に滑走する収縮板47が取り付けられ、前記収縮板47が相対的に離れる端面にバスマット51が固定的に取り付けられ、前記収縮筐体30の右端壁に外部と連結する連結溝13が設置され、前記収縮筐体30が前記連結溝13に近づく所に第三回転軸29を通じてリール輪31が回転が可能なような取り付けられ、前記収縮板47の内側端にロープ32が固定的に取り付けられ、前記ロープ32が前記リール輪31を迂回し前記取っ手15に設置される調整輪14と固定的に接続する。
【００２３】
好ましくは、前記調整板20の下端面に弾柱24が固定的に取り付けられ、前記弾柱24の下端が前記第二滑走溝23の下端壁と固定的に接続し、前記調整板20の上端面にローラー22が回転が可能なような取り付けられる。
【００２４】
好ましくは、前記ロック装置は前記回転溝33の頂壁に設置される第三滑走溝43を含み、前記第三滑走溝43の右端壁の上に前記容筐体17と連結する第四滑走溝42が設置され、前記第三滑走溝43に上下に滑走するロックアーム40が取り付けられ、前記ロックアーム40の下端に前記第一ギア34と係合し接続するロックギアが設置され、前記第四滑走溝42に前記ロックアーム40と固定的に接続する滑走ブロック41が滑走可能なような取り付けられ、前記第三滑走溝43の左端壁に第一案内溝38が設置され、前記第一案内溝38に前記ロックアーム40と固定的に接続する第一案内ブロック37が滑走可能なような取り付けられ、前記第一案内ブロック37の上端に前記第三滑走溝43の頂壁と固定的に接続する第一圧縮ばね39が固定的に取り付けられ、前記第一圧縮ばね39が前記第一案内ブロック37を下に押圧し前記ロックギアと前記第一ギア34が噛み合う。
【００２５】
好ましくは、前記収縮筐体30の左右端壁に対称的に第二案内溝48が設置され、前記第二案内溝48に前記収縮板47と固定的に接続する第二案内ブロック50が滑走可能なような取り付けられ、前記第二案内溝48に第二案内ブロック50と相殺する第二圧縮ばね49が取り付けられ、前記第二圧縮ばね49が前記第二案内ブロック50を外側に押圧し前記ロープ32が引張する。
【００２６】
好ましくは、前記容筐体17の底壁に前後に対称的に前記連結溝13の前後両側に位置する第三案内溝45が設置され、前記第三案内溝45に第三案内ブロック46が滑走可能なような取り付けられ、前記第三案内ブロック46の右端面に右に延びる接続レバー44が固定的に取り付けられ、前記接続レバー44の右端が前記第三案内溝45の右端壁を通り抜けて前記調整輪14と固定的に接続する。
【００２７】
本発明に係る装置を取り付ける時に、前記調整輪14を右に引いて、前記調整輪14が前記ロープ32を通じて前記収縮板47を前記収縮筐体30に引き戻して、前記引き出し16を前記取付溝11に置いて、前記サブレール18と前記雌レール12を係合する。
【００２８】
上下に隣接する二つの引き出しの間に大きい隙間がある時に、前記滑走ブロック41を上に持ち上げて前記ロックギアが前記第一ギア34から離れて、外六角レンチを使って前記内六角溝36に挿入し前記第一回転軸35を回転し、前記第一回転軸35が前記第二回転軸26と連動して回転し、前記第二回転軸26が前記第二ギア25と連動して回転し、前記第二ギア25が前記ラック27を駆動し上に移動し、前記滑走板28が上に滑り前記ローラー22が上の引き出しの底面と相殺し、上下に隣接する二つの引き出しの間の隙間を減らし、前記滑走ブロック41を緩めた後に、前記第一圧縮ばね39の作用のもとで、前記ロックギアが再び前記第一ギア34と噛み合い、前記調整板20の延出長さを固定する。
【００２９】
引き出しを出す時に、前記調整輪14を右に引いて、前記調整輪14が前記ロープ32を通じて前記収縮板47を前記収縮筐体30に引き戻して、前記バスマット51が前記取付溝の内壁との接触を離れて、引き出しが適当な位置に出される時に、前記調整輪14を緩めて、前記第二圧縮ばね49の作用のもとで、前記バスマット51が前記取付溝の内壁と相殺し、これにより引き出しの位置を固定する。点検と保守することが便利である。
【００３０】
本発明の有益な効果は、本発明に係る装置を取り付ける時に、前記調整輪を右に引いて、前記調整輪が前記ロープを通じて前記収縮板を前記収縮筐体に引き戻して、前記引き出しを前記取付溝に置いて、前記サブレールと前記雌レールを係合し、取付が便利である。
【００３１】
上下に隣接する二つの引き出しの間に大きい隙間がある時に、前記滑走ブロックを上に持ち上げて前記ロックギアが前記第一ギアから離れて、外六角レンチを使って前記内六角溝に挿入し前記第一回転軸を回転し、前記第一回転軸が前記第二回転軸と連動して回転し、前記第二回転軸が前記第二ギアと連動して回転し、前記第二ギアが前記ラックを駆動し上に移動し、前記滑走板が上に滑り前記ローラーが上の引き出しの底面と相殺し、上下に隣接する二つの引き出しの間の隙間を減らし、前記滑走ブロックを緩めた後に、前記第一圧縮ばねの作用のもとで、前記ロックギアが再び前記第一ギアと噛み合い、前記調整板の延出長さを固定する。
【００３２】
引き出しを出す時に、前記調整輪を右に引いて、前記調整輪が前記ロープを通じて前記収縮板を前記収縮筐体に引き戻して、前記バスマットが前記取付溝の内壁との接触を離れて、引き出しが適当な位置に出される時に、前記調整輪を緩めて、前記第二圧縮ばねの作用のもとで、前記バスマットが前記取付溝の内壁と相殺し、これにより引き出しの位置を固定する。点検と保守することが便利である。
【００３３】
本発明に係る装置の構造が簡単で、使用が便利で、安全性と点検保守の効率を高める。
【００３４】
以上に本発明の基本原理、主な特徴と本発明の長所を表明し説明した。本業界の技術者が了解すべきなのは本発明は上記の実施例の制限を受けなく、上記の実施例と明細書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019183599.tif 000003
【図２】
2019183599.tif 000004
【図３】
2019183599.tif 000005
【図４】
2019183599.tif 000006